(57)【要約】      （修正有）【課題】傘とステッキの二種類の機能を同時に兼ね備え、取出すのが手軽で安定しているステッキ傘の構造を提供する。【解決手段】傘とステッキ結合体とからなる。ステッキ結合体は、傘の傘バー１３内に入れられ、ステッキ結合体は、第一ステッキ２０と第二ステッキ３０とからなり、第一ステッキは取っ手２１と支持バー２２とからなり、取っ手と支持バーの間にはブロック体３３が設けられ、ブロック体上にはカバーリングが設けられ、第二ステッキは、長形の柄部３１と、内部が中空状の支持バー３２とからなる。さらに、中空支持バーには第一ステッキの支持バー２２が入れられ、第二ステッキの支持バーは傘の傘バー内に入れられ、長形柄部内には、大きめの内部フレーム孔１７が設けられ、その内部には凹環状溝１７１が設けられ、長形柄部と支持バーの交差箇所にはブロック体が設けられ、ブロック体上にはカバーリングが設けられる。【選択図】図３
0003180678.tif 000002
【実用新案登録請求の範囲】
【請求項１】
傘とステッキ結合体とからなるステッキ傘の構造であって、
ステッキ結合体は、傘の傘バー内に入れられ、前記ステッキ結合体は、第一ステッキと、第一ステッキが入れられる第二ステッキとからなり、
第一ステッキは、取っ手と支持バーとからなり、取っ手と支持バーの間には、ブロック体が設けられ、前記ブロック体上にはカバーリングが設けられ、
第二ステッキは、長形の柄部と、内部が中空状の支持バーとからなり、前記中空支持バーには、第一ステッキの支持バーが入れられ、第二ステッキの支持バーは、傘の傘バー内に入れられ、第二ステッキ上端の長形柄部内には、大きめの内部フレーム孔が設けられ、大きめの内部フレーム孔内には、第一ステッキのカバーリングが嵌合される凹環状溝が設けられ、長形柄部と第二ステッキの支持バーの交差箇所にはブロック体が設けられ、、長形柄部と第二ステッキの支持バーの交差箇所に設けられた前記ブロック体上にはカバーリングが設けられることを特徴とする、ステッキ傘の構造。
【請求項２】
傘における傘バー上端内には、大きめの内部フレーム孔が形成され、内部フレーム孔には、凹環状溝が設けられ、内部フレーム孔の凹環状溝には、第二ステッキのブロック体とカバーリングが嵌め込まれることを特徴とする、請求項１に記載のステッキ傘の構造。
【考案の詳細な説明】
【技術分野】
【０００１】
本考案は構造が簡単且つ収納、取出しが便利な、ステッキと傘を結合したステッキ傘の構造に関する。
【背景技術】
【０００２】
人類が雨をよけ太陽を避ける必要性を感じた時に、傘が発明された。従って、傘は人々の生活の必需品となっている。また、傘の長さは、老人が体を支えることができるようになっているため、傘はステッキの用途も兼ね備えるようになってきた。
【０００３】
傘の元々の設計は、雨を遮り太陽を避けることが主であるため、杖で支えてバランスを保つ機能は有していない。その後、一本で兼用できるように、傘と杖の機能を一体に結合させた傘が考案されている。現在、市場には、何種類もの型式のステッキ傘があり、あるものは、手で握るのに便利なステッキヘッドが傘に設けられ、あるものは、さらに独創性がありステッキヘッドの高さをニーズに応じて調整できるようになっている。これらの設計によって、傘と杖の兼用機能を持つ用具を一般の人に提供できるようになった。
【０００４】
しかしながら、ステッキ機能を兼用した傘は、二種類の機能を備えているものの、一方の機能しか選択することができない。雨が降っている時は、傘の機能を使うしかなく、ステッキの機能を使うことはできない。ステッキの機能を使用している時は、太陽をさけたり雨をよける傘の機能は使用できない。従って、元々の意義の優れた設計があまり機能しておらず、二種類の機能を使用するという本当の機能は無駄になってしまっている。
【０００５】
本考案者は、以前に、磁石ステッキ傘を考案した。これは、磁力が互いに吸いつく原理を利用して、ステッキと雨傘の位置を固定している。しかしながら、これは、磁力が弱まったり、予期せず外れたりする可能性がある。このため、この問題を解決するために、本考案者は、研究を重ね、操作の簡単さを失わないまま、両者の結合を強化する構造を考案した。
【考案の概要】
【考案が解決しようとする課題】
【０００６】
本考案は、傘とステッキの二種類の機能を同時に兼ね備え、取出すのが手軽で安定しているステッキ傘の構造を提供することを目的とする。
【課題を解決するための手段】
【０００７】
本考案によるステッキ傘の構造は、取出しに力が要らないという特徴を兼ね備えている。本考案は、ステッキ結合体と傘の結合箇所で、カバーリングを凹環状溝内に嵌め込むことで、カバーリングが備える変形可能な可塑性の特徴を生かしている。ステッキ結合体の取っ手の下にはブロック体が設けられ、ブロック体に対応する傘柄部の大きめの内部フレーム孔には凹環状溝が設けられる。前記の構造により、ステッキ結合体と傘の組合せと分離が行いやすく、しかも、構造の安定性を失わない。
【考案の効果】
【０００８】
本考案によるステッキ傘の構造は、ステッキ結合体の長さを自由に選択して使用できるのが特徴である。本考案のステッキ結合体は、二本を相互に嵌め合わせた第一と第二ステッキとからなり、それぞれの間に設けたカバーリングと凹環状溝の組合せを利用する。その内、第二ステッキ前端には、長めの柄部が設けられ、それにより、使用者のニーズに応じて長さを変えることができる。
【図面の簡単な説明】
【０００９】
【図１】本考案の実施例の傘を示した概略図である。
【図２】本考案の実施例の傘とステッキ結合体を分離させた状態を示した概略図である。
【図３】本考案の実施例の傘とステッキ結合体を結合させた状態を示した平面図である。
【考案を実施するための形態】
【００１０】
図１と図２を参照する。本考案によるステッキ傘の構造は、傘１０と、ステッキ結合体２００とからなる。ステッキ結合体２００は、傘１０の傘バー１３内に配置される。ステッキ結合体２００は、第一ステッキ２０と第二ステッキ３０とからなる。第一ステッキ２０は、取っ手２１と支持バー２２とからなる。取っ手２１と支持バー２２の間にはブロック体２３が設けられ、ブロック体２３上には、カバーリング２３２が設けられる。第二ステッキ３０は、長形の柄部３１と、内部が中空状の支持バー３２とからなる。図３に示すように、この中空支持バー３２には、第一ステッキ２０の支持バー２２が入れられ、第二ステッキ３０の支持バー３２は、傘の傘バー１３内に入れられ、第二ステッキ３０上端の長形柄部３１内には、大きめの内部フレーム孔３４が設けられ、大きめの内部フレーム孔３４内には、カバーリング３２３を嵌合させる凹環状溝３４１が設けられ、長形柄部３１と支持バー３２の交差箇所にはブロック体３３が設けられ、このブロック体３３には、カバーリング３３１が設けられる。
【００１１】
また、傘１０における傘バー１３の上端内には、大きめの内部フレーム孔１７が形成され、内部フレーム孔１７には凹環状溝１７１が設けられ、凹環状溝１７１には、第二ステッキ３０のブロック体３３とカバーリング３２３が嵌め込まれる。
【００１２】
図３は、傘２０とステッキ結合体２００の組合せを示している。第一ステッキ２０の支持バー２２は、第二ステッキ３０の中空支持バー３２内に入れられ、ブロック体２３のカバーリング２３２は、第二ステッキ３０の大きめの内部フレーム孔３４及び凹環状溝３４１内に入れられる。また、第二ステッキ３０のブロック体３３及びカバーリング３３１は、傘１０の大きめの内部フレーム孔１７及び凹環状溝１７１内に配置される。ステッキ機能を使用したい場合は、第二ステッキ３０の柄部３１を握り、第一ステッキ２０の取っ手２１を上に引くと、第一ステッキ２０のカバーリング２３２が第二ステッキ３０の凹環状溝３４１から外れ、第一ステッキ２０を取出して使用することができる。
【００１３】
長めのステッキで体を支えたい場合は、第二ステッキ３０を取りだす。長形の柄部３１を備えるため、ステッキの長さを増すことができる。まず、傘１０の傘バー１３を掴み、長形柄部３１を握って上に引くと、第二ステッキ３０のカバーリング３３１が傘の傘バー１３大きめの内部フレーム孔１７の凹環状溝１７１から外れ、第二ステッキ３０及び第一ステッキ２０が一緒に引っ張り出され、長めのステッキ機能を使用することができる。
【符号の説明】
【００１４】
１０      傘                       
１３      傘バー
１４      内溝                            
１７      大きめの内部フレーム孔    
１７１    凹環状溝                 
２００    ステッキ結合体
２０      第一ステッキ             
２１      取っ手            
２２      支持バー                        
２３      ブロック体                
２３２    カバーリング             
３０      第二ステッキ  
３１      柄部                     
３２      支持バー          
３３      ブロック体                      
３３１    カバーリング槽      
３４      内部フレーム孔                  
４１      凹環状溝                  
【図１】
0003180678.tif 000003
【図２】
0003180678.tif 000004
【図３】
0003180678.tif 000005